(57)【要約】【課題】水平力に対する構造性能を向上させるとともに、接合部材及び接合部材周辺の損傷を防ぐことができる枠組壁構造、建物、及び、枠組壁構法を提供すること。【解決手段】縦枠５３、まぐさ受け５５Ａ、及び、かいぎ７によって構成された隣接部材組１０Ａの接合面間に粘弾性部材９が挟まれていることで、粘弾性部材９に水平力のエネルギーを吸収させて揺れの吸収性能を向上させることができるとともに、釘８に加わるせん断力を低減し、釘８が変形したり釘穴が大きくなったりすることを防ぎ、釘８及び釘打ちされた部材の損傷を防ぐことができる。【選択図】図４
2015101850.tif 000002
【特許請求の範囲】
【請求項１】
上枠、下枠、及び、左右の縦枠を有した枠組と、該枠組に固定される面材と、によって壁体が構成され、該壁体の上側に床体又は屋根体が支持される枠組壁構造であって、
前記縦枠に沿って上下に延びる鉛直部材と、
前記上枠又は前記下枠に沿って水平方向に延びる水平部材と、を備え、
互いに隣接する前記縦枠同士、前記縦枠及び前記鉛直部材、前記上枠及び前記水平部材、前記下枠及び前記水平部材、ならびに、前記水平部材同士は、長手方向に沿った面を接合面として隣接部材組を形成するとともに、該接合面同士が対向するように接合部材によって接合され、
前記隣接部材組のうち少なくとも一組の前記接合面間には、粘弾性部材が挟まれて取り付けられていることを特徴とする枠組壁構造。
【請求項２】
前記枠組及び前記面材によって形成される少なくとも二つの壁面が交差する交差部に位置する前記隣接部材組に前記粘弾性部材が設けられていることを特徴とする請求項１に記載の枠組壁構造。
【請求項３】
前記鉛直部材は、開口部を囲んで設けられるまぐさ受け、又は、前記縦枠同士の間あるいは該縦枠と該まぐさ受けとの間に設けられるかいぎであって、
前記水平部材は、前記開口部の上方に設けられるまぐさ、前記上枠の上方に設けられる頭つなぎ、前記上枠の上方あるいは前記下枠の下方に設けられる根太、又は、該根太の上方に設けられる床板であることを特徴とする請求項１又は２に記載の枠組壁構造。
【請求項４】
請求項１〜３いずれか１項に記載の枠組壁構造を備えることを特徴とする建物。
【請求項５】
上枠、下枠、及び、左右の縦枠を有した枠組と、該枠組に固定される面材と、によって壁体を構成し、該壁体の上側に床体又は屋根体を支持させる枠組壁構法であって、
前記縦枠に沿って上下に延びる鉛直部材と、
前記上枠又は前記下枠に沿って水平方向に延びる水平部材と、を用い、
互いに隣接する前記縦枠同士、前記縦枠及び前記鉛直部材、前記上枠及び前記水平部材、前記下枠及び前記水平部材、ならびに、前記水平部材同士を、長手方向に沿った面を接合面として隣接部材組を形成し、該接合面同士が対向するように接合部材によって接合するとともに、該隣接部材組のうち少なくとも一組の前記接合面間に粘弾性部材を挟んで取り付けることを特徴とする枠組壁構法。
【発明の詳細な説明】
【技術分野】
【０００１】
上枠、下枠、及び、左右の縦枠を有した枠組と、該枠組に固定される面材と、によって壁体が構成される枠組壁構造、該枠組壁構造を備えた建物、及び、枠組壁構法に関するものである。
【背景技術】
【０００２】
従来、上枠、下枠、及び、左右の縦枠を有した枠組と、枠組に固定される面材と、の間に粘弾性部材を設けた枠組壁構造が提案されている（例えば、特許文献１参照）。特許文献１に記載された従来の枠組壁構造では、枠組と面材との間に粘弾性部材が接着されていることで、地震や風等による水平力のエネルギーを粘弾性部材に吸収させ、揺れの吸収性能の向上が図られている。
【先行技術文献】
【特許文献】
【０００３】
【特許文献１】特開２００２−１８０５７３号公報
【発明の概要】
【発明が解決しようとする課題】
【０００４】
しかしながら、特許文献１に記載された従来の枠組壁構造では、枠組と面材とで面内方向における剛性が大きく異なるため、面内方向に大きな力が加わった場合、枠組と面材との変位量の差が大きくなってしまい、粘弾性部材が枠組や面材から剥離してしまう可能性があり、粘弾性部材による揺れの吸収性能を有効に利用できないことがあった。さらに、粘弾性部材が剥離してしまうと、枠組と面材とを接合する接合部材に過大な力が加わって変形してしまう可能性があった。
【０００５】
したがって、本発明は、水平力に対する構造性能を向上させるとともに、接合部材及び接合部材周辺の損傷を防ぐことができる枠組壁構造、建物、及び、枠組壁構法を提供することを目的とする。
【課題を解決するための手段】
【０００６】
本発明の枠組壁構造は、上枠、下枠、及び、左右の縦枠を有した枠組と、該枠組に固定される面材と、によって壁体が構成され、該壁体の上側に床体又は屋根体が支持される枠組壁構造であって、前記縦枠に沿って上下に延びる鉛直部材と、前記上枠又は前記下枠に沿って水平方向に延びる水平部材と、を備え、互いに隣接する前記縦枠同士、前記縦枠及び前記鉛直部材、前記上枠及び前記水平部材、前記下枠及び前記水平部材、ならびに、前記水平部材同士は、長手方向に沿った面を接合面として隣接部材組を形成するとともに、該接合面同士が対向するように接合部材によって接合され、前記隣接部材組のうち少なくとも一組の前記接合面間には、粘弾性部材が挟まれて取り付けられていることを特徴とする。
【０００７】
以上のような本発明によれば、隣接部材組の接合面間に粘弾性部材が挟まれていることで、水平力によって隣接する部材同士の間にせん断力が生じた場合に、このせん断力によって粘弾性部材が弾性変形するとともに、その粘性によって抵抗力（減衰力）を発生する。このような抵抗力（減衰力）によってエネルギーを吸収させて揺れの吸収性能を向上させることができる。このとき、隣接部材組を構成する部材は鉛直方向又は水平方向に互いに隣接していることで、隣接する部材同士の変位量の差は小さく、粘弾性部材による揺れの吸収性能を有効に利用することができる。さらに、粘弾性部材が長手方向に沿った接合面に設けられていることで、粘弾性部材を設ける面積を確保することができる。
【０００８】
また、粘弾性部材にエネルギーを吸収させることで、接合部材に加わるせん断力を低減し、例えば釘等の接合部材が変形したり釘穴が大きくなったりすることを防ぎ、接合部材及び接合部材周辺の損傷を防ぐことができる。尚、隣接部材組は、二つ以上の隣接する部材を備えて構成されていればよく、粘弾性部材は、全ての接合面間に設けられていてもよいし、一部の接合面間に設けられていてもよい。
【０００９】
この際、本発明の枠組壁構造では、前記枠組及び前記面材によって形成される少なくとも二つの壁面が交差する交差部に位置する前記隣接部材組に前記粘弾性部材が設けられていることが好ましい。
【００１０】
このような構成によれば、交差部に位置する隣接部材組に粘弾性部材が設けられていることで、交差する壁面全体が所定方向において互いに異なる変位量を有して変形する場合、このような変位量の差によって交差部においてせん断力が生じても、接合部材が負担するせん断力を低減し、揺れの吸収性能をさらに向上させることができる。
【００１１】
また、本発明の枠組壁構造では、前記鉛直部材は、開口部を囲んで設けられるまぐさ受け、又は、前記縦枠同士の間あるいは該縦枠と該まぐさ受けとの間に設けられるかいぎであって、前記水平部材は、前記開口部の上方に設けられるまぐさ、前記上枠の上方に設けられる頭つなぎ、前記上枠の上方あるいは前記下枠の下方に設けられる根太、又は、該根太の上方に設けられる床板であることが好ましい。
【００１２】
このような構成によれば、隣接部材組を接合する接合部材が負担するせん断力を低減することができる。さらに、まぐさやまぐさ受けを備えた隣接部材組の接合面間に粘弾性部材が設けられていることで、面材が設けられない開口部の周辺において、まぐさやまぐさ受けが上枠や下枠、縦枠よりも大きく変形しても、このときに生じるせん断力のエネルギーを粘弾性部材に吸収させ、開口部を形成することによる構造性能の低下を極力防ぐことができる。
【００１３】
一方、本発明の建物は、枠組壁構造を備えることを特徴とする。ここで、本発明の建物としては、その用途（住宅、店舗、倉庫など）や、規模（建築面積、容積、階数など）は、いずれも限定されず、各種の建物に対して本発明の枠組壁構造を適用することができる。
【００１４】
一方、本発明の枠組壁構法は、上枠、下枠、及び、左右の縦枠を有した枠組と、該枠組に固定される面材と、によって壁体を構成し、該壁体の上側に床体又は屋根体を支持させる枠組壁構法であって、前記縦枠に沿って上下に延びる鉛直部材と、前記上枠又は前記下枠に沿って水平方向に延びる水平部材と、を用い、互いに隣接する前記縦枠同士、前記縦枠及び前記鉛直部材、前記上枠及び前記水平部材、前記下枠及び前記水平部材、ならびに、前記水平部材同士を、長手方向に沿った面を接合面として隣接部材組を形成し、該接合面同士が対向するように接合部材によって接合するとともに、該隣接部材組のうち少なくとも一組の前記接合面間に粘弾性部材を挟んで取り付けることを特徴とする。
【００１５】
このような本発明によれば、隣接部材組の接合面間に粘弾性部材を挟むことで、前述のように揺れの吸収性能を向上させるとともに、接合部材及び接合部材周辺の損傷を防ぐことができる。尚、隣接部材組の接合面間に粘弾性部材を取り付ける工程は、建物の建設現場において枠組等を建て込む際に実施してもよいし、工場等において枠組を組み立てる際や、枠組同士を組み合わせてパネル化する際に実施してもよい。
【発明の効果】
【００１６】
以上のような本発明の枠組壁構造、建物、及び、枠組壁構法によれば、隣接部材組の接合面間に粘弾性部材が挟まれていることで、水平力に対する構造性能を向上させるとともに、接合部材及び接合部材周辺の損傷を防ぐことができる。
【図面の簡単な説明】
【００１７】
【図１】本発明の実施形態に係る枠組壁構造を示す斜視図である。
【図２】前記枠組壁構造の１階部分を示す斜視図である。
【図３】前記枠組壁構造の２階部分を示す斜視図である。
【図４】図２のＩＶ−ＩＶ断面図である。
【図５】図３のＶ−Ｖ断面図である。
【図６】本発明の変形例に係る枠組壁構造の要部を示す断面図である。
【図７】他の変形例に係る枠組壁構造の要部を示す断面図である。
【図８】他の変形例に係る枠組壁構造の要部を示す断面図である。
【発明を実施するための形態】
【００１８】
以下、本発明の実施形態を図１〜５に基づいて説明する。本実施形態の枠組壁構造１は、例えば、戸建て住宅やアパート等の建物であって、木造枠組壁構造かつ２階建ての建物に適用されるものである。枠組壁構造１の１階部分は、図１、２に示すように、基礎Ｆに支持された土台２と、土台２に支持された根太３Ａと、根太３Ａの上面を覆うように固定された床材４Ａと、床材４Ａの上側に固定された枠組５Ａと、枠組５Ａに支持された頭つなぎ６Ａと、を備える。また、頭つなぎ６Ａの上側には、２階部分の床体、即ち、根太３Ｂ及び床材４Ｂが支持されるとともに、さらにその上側には、１階部分と略同様に枠組５Ｂ及び頭つなぎ６Ｂが支持され、２階部分の上側には、図示しない屋根体が支持される。
【００１９】
土台２は、例えば断面寸法３８ｍｍｘ１１４ｍｍの木材から構成され、基礎Ｆに沿って設けられるとともに、図示しないアンカーボルトによって基礎Ｆに固定される。
【００２０】
根太３Ａは、土台２に沿って設けられるとともに釘打ちによって固定される端根太３１と、対向する端根太３１同士の間に亘って設けられる床根太３２と、床根太３２同士の間に設けられる受材３３と、端根太３１に沿うとともに床根太３２同士の間に設けられる添え根太３４と、を備え、端根太３１、床根太３２、及び添え根太３４は、例えば断面寸法３８ｍｍｘ１８４ｍｍの木材から構成され、受材３３は、例えば断面寸法３８ｍｍｘ８９ｍｍの木材から構成されている。また、２階部分の根太３Ｂは、釘打ちによって１階部分の頭つなぎ６Ａに固定されるとともに、１階部分と略同様に、端根太３１と、床根太３２と、受材３３と、添え根太３４と、を備える。
【００２１】
床材４Ａ、４Ｂは、例えば構造用合板から構成され、根太３Ａ、３Ｂに沿って釘打ちによって固定される。
【００２２】
枠組５Ａは、上枠５１と、下枠５２と、複数の縦枠５３と、まぐさ５４Ａと、まぐさ５４Ａを下側から支持するまぐさ受け５５Ａと、を備える。縦枠５３が上枠５１及び下枠５２に釘打ちによって固定されるとともに、まぐさ５４Ａ及びまぐさ受け５５Ａが縦枠５３に釘打ちによって固定され、さらに下枠５２が釘打ちによって根太３Ａ及び床材４Ａに固定されることで、枠組５Ａ全体が根太３Ａ及び床材４Ａに支持される。上枠５１、下枠５２、縦枠５３、まぐさ５４Ａ、及び、まぐさ受け５５Ａは、例えば断面寸法３８ｍｍｘ８９ｍｍの木材から構成されている。また、まぐさ５４Ａとまぐさ受け５５Ａとによって囲まれた開口部Ｏ１が形成される。２階部分の枠組５Ｂは、図３にも示すように、１階部分と略同様に、上枠５１と、下枠５２と、縦枠５３と、まぐさ５４Ｂと、まぐさ受け５５Ｂと、を備えるとともに、開口部Ｏ２、Ｏ３が形成される。さらに、枠組５Ａは、縦枠５３やまぐさ受け５５Ａに取り付けられたホールダウン金物Ｈと、基礎Ｆに埋設されたアンカーボルトＡと、が固定されることで、基礎Ｆに強固に固定される。このように枠組５Ａが基礎Ｆに固定されることで、枠組壁構造１全体が水平力によって基礎Ｆから浮いてしまうことを防ぐことができ、後述するように隣接部材組１０Ａ、１０Ｂに設けられた粘弾性部材９に効果的にエネルギーを吸収させることができる。
【００２３】
枠組５Ａ、５Ｂは、図４に示すように、外側から面材としての外壁材Ｐ１が固定されるとともに、内側から面材としての内壁材Ｐ２が固定されることで、壁体を構成する。外壁材Ｐ１は、例えば構造用合板から構成され、内壁材Ｐ２は例えば石膏ボードから構成されている。
【００２４】
ここで、図１中左側の壁面を第１壁面５０ａ、右側の壁面を第２壁面５０ｂとし、第１壁面５０ａと第２壁面５０ｂとが交差する部分を交差部５０ｃとする。交差部５０ｃにおいて、二本の縦枠５３同士の間には、寸法調節のためのかいぎ７が設けられている。
【００２５】
頭つなぎ６Ａ、６Ｂは、上枠５１と略同一の断面寸法を有するとともに、上枠５１に沿って釘打ちによって固定される。
【００２６】
以上のような枠組壁構造１において、かいぎ７とまぐさ受け５５Ａ、５５Ｂとが鉛直部材として機能し、根太３Ａ、３Ｂと床材４Ａ、４Ｂとまぐさ５４Ａ、５４Ｂとが水平部材として機能する。
【００２７】
次に、根太３Ａ、３Ｂ、床材４Ａ、４Ｂ、枠組５Ａ、５Ｂ、及び、頭つなぎ６Ａ、６Ｂそれぞれの接続構造の詳細について説明する。
まず、１階部分の交差部５０ｃにおいて、縦枠５３と、まぐさ受け５５Ａと、かいぎ７と、は、図４に断面して示すような接続構造を有している。即ち、第１壁面５０ａの二本の縦枠５３と、まぐさ受け５５Ａと、かいぎ７と、第２壁面５０ｂの縦枠５３とが、互いに隣接するとともに、長手方向（即ち、鉛直方向）に沿った側面を接合面として接合部材としての釘８によって接合され、隣接部材組１０Ａを構成する。各接合面間、即ち、縦枠５３とまぐさ受け５５Ａとかいぎ７とのそれぞれの間には、粘弾性部材９が挟まれて取り付けられている。また、２階部分の交差部５０ｃにおいても、略同様に隣接部材組が構成されるとともに粘弾性部材９が設けられる。
【００２８】
また、１階部分と２部分との接合部において、上枠５１と、頭つなぎ６Ａと、根太３Ｂと、床材４Ｂと、下枠５２と、は、図５に断面して示すような接続構造を有している。即ち、上枠５１と、頭つなぎ６Ａと、端根太３１及び添え根太３４と、床材４Ｂと、下枠５２と、が上下方向に並んで互いに隣接するとともに、長手方向（即ち、水平方向）に沿った側面を接合面として釘８によって接合され、隣接部材組１０Ｂを構成する。上枠５１、下枠５２、及び、各水平部材の間の接合面間には、粘弾性部材９が挟まれて取り付けられている。また、１階部分の土台２と、根太３Ａと、床材４Ａと、下枠５２と、は、２階部分と略同様に隣接部材組を構成するとともに粘弾性部材９が設けられる。
【００２９】
次に、粘弾性部材９の作用について説明する。建物に地震等の外力が入力した場合、隣接する部材同士の間にせん断力が発生することがある。例えば、図４中上下方向の外力が入力した場合、第１壁面５０ａは面外方向の力を受けるのに対し、第２壁面５０ｂは面内方向の力を受けるため、第１壁面５０ａと第２壁面５０ｂとが異なる変位量を有して変形する。このとき、第１壁面５０ａの二本の縦枠５３と、第２壁面５０ｂの縦枠５３との間にせん断力が発生する。このようなせん断力によって粘弾性部材９が弾性変形するとともに、その粘性によって抵抗力（減衰力）を発生することによってエネルギーを吸収させる。
【００３０】
また、水平方向に延びる部材同士についても、上階から下階、基礎に伝達される水平力によってせん断力が生じることがある。例えば、図５において、２階部分の下枠５２から床材４Ｂ、床材４Ｂから端根太３１及び添え根太３４、端根太３１及び添え根太３４から１階部分の頭つなぎ６Ａ、頭つなぎ６Ａから１階部分の上枠５１と水平力が伝達される際に、下枠５２と床材４Ｂとの間、床材４Ｂと端根太３１及び添え根太３４との間、端根太３１及び添え根太３４と頭つなぎ６Ａとの間、ならびに、頭つなぎ６Ａと上枠５１との間にせん断力が生じ、これらの接合面間に挟まれた粘弾性部材９の粘性によってエネルギーを吸収させることができる。
【００３１】
以上の本実施形態によれば、隣接部材組の接合面間に粘弾性部材９が挟まれていることで、粘弾性部材９に水平力のエネルギーを吸収させて揺れの吸収性能を向上させることができるとともに、釘８に加わるせん断力を低減し、釘８が変形したり釘穴が大きくなったりすることを防ぎ、釘８及び釘打ちされた部材の損傷を防ぐことができる。粘弾性部材９が長手方向に沿った接合面に設けられていることで、粘弾性部材９を設ける面積を確保することができる。
【００３２】
さらに、交差部５０ｃにおける隣接部材組に粘弾性部材９が設けられていることで、第１壁面５０ａと第２壁面５０ｂとが互いに異なる変位量を有して変形する場合であっても、このような変位量の差によって生じる大きなせん断力のエネルギーを吸収させることができ、釘８が負担するせん断力を低減し、揺れの吸収性能をさらに向上させることができる。
【００３３】
また、まぐさ受け５５Ａと縦枠５３との間に粘弾性部材が設けられていることで、外壁材Ｐ１及び内壁材Ｐ２が設けられない開口部Ｏ１の周辺において、まぐさ受け５５Ａが縦枠５３とずれるように鉛直方向に変位しても、このときに生じるせん断力のエネルギーを粘弾性部材９に吸収させ、開口部Ｏ１を形成することによる構造性能の低下を極力防ぐことができる。
【００３４】
なお、本発明は、前記実施形態に限定されるものではなく、本発明の目的が達成できる他の構成等を含み、以下に示すような変形等も本発明に含まれる。例えば、前記実施形態では、縦枠５３とまぐさ受け５５Ａとかいぎ７との隣接部材組１０Ａを例示したが、図６（Ａ）に示すように、縦枠５３同士が隣接して隣接部材組１０Ｃを構成してもよく、この間に粘弾性部材９が設けられる構成であってもよい。
【００３５】
また、前記実施形態では、交差部５０ｃ付近に開口部Ｏ１が形成される、即ち、まぐさ受け５５Ａが設けられる構成としたが、開口部が形成されない構成であってもよく、例えば、図４においてまぐさ受けが省略されていてもよいし、図６（Ｂ）に示すように、三本の縦枠５３が組み合わされて隣接部材組１０Ｄを構成するとともに粘弾性部材９が設けられる構成であってもよい。
【００３６】
また、前記実施形態では、外壁としての壁面同士の交差部において隣接部材組が構成されるとともに粘弾性部材９が設けられるものとしたが、内壁と外壁とが交差するＴ字状の交差部において隣接部材組が構成されるとともに粘弾性部材９が設けられてもよく、例えば、図７に示すように、開口部Ｏの有無に応じて縦枠５３やまぐさ受け５５、かいぎ７が適宜組み合わされて隣接部材組１０Ｅ、１０Ｆ、１０Ｇ、１０Ｈを構成するとともに、粘弾性部材９が設けられる構成であってもよい。
【００３７】
また、内壁同士が交差する十字状の交差部において隣接部材組が構成されるとともに粘弾性部材９が設けられてもよく、例えば、図８に示すように、縦枠５３やまぐさ受け５５、かいぎ７が適宜組み合わされて隣接部材組１０Ｉ、１０Ｊを構成するとともに、粘弾性部材９が設けられる構成であってもよい。
【００３８】
また、上枠５１と適宜な水平部材との間、下枠５２と適宜な水平部材との間、及び、適宜な水平部材同士の間に粘弾性部材９が設けられていてもよいし、縦枠５３と適宜な鉛直部材との間に粘弾性部材９が設けられていてもよい。
【００３９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４０】
１          枠組壁構造
３Ａ、３Ｂ  根太（水平部材）
４Ａ、４Ｂ  床材（水平部材）
５Ａ、５Ｂ  枠組
６Ａ、６Ｂ  頭つなぎ（水平部材）
７          かいぎ
８          釘（接合部材）
９          粘弾性部材
５１        上枠
５２        下枠
５３        縦枠
５４Ａ、５４Ｂ      まぐさ
５５Ａ、５５Ｂ      まぐさ受け
Ｐ１        外壁材（面材）
Ｐ２        内壁材（面材）
１０Ａ〜１０Ｊ      隣接部材組
【図１】
2015101850.tif 000003
【図２】
2015101850.tif 000004
【図３】
2015101850.tif 000005
【図４】
2015101850.tif 000006
【図５】
2015101850.tif 000007
【図６】
2015101850.tif 000008
【図７】
2015101850.tif 000009
【図８】
2015101850.tif 000010